(57)【要約】【課題】書類等を収納する袋体にサービス情報を切り取り可能に印刷し、利用にサービスを与えると共に、その再利用を図り、省資源化や環境保全に貢献し得る有用情報を切り取り可能に印刷する袋体を提供する。【解決手段】書類５を収納する空間６を有する袋体１の例えば裏面３には、各種のサービス情報７ａ等が印刷され、これ等はミシン目１２から切り取られ、例えば、クーポン券等として利用できる。これにより、利用者や袋体１の提供者の双方にメリットを与える事ができる。【選択図】図１
0003104507.tif 000002
【実用新案登録請求の範囲】
【請求項１】
書類等を収納すべく表裏面を袋状に連結してなる袋体であって、該袋体は、前記表面及び／又は裏面に前記袋体の利用者に有用な文字及び／又は絵柄の情報が切り取り可能に印刷されることを特徴とする有用情報を切り取り可能に印刷する袋体。
【請求項２】
前記印刷情報が、サービス券，クーポン券，割引き券，入場券，チケット，優待券，名刺，商品説明からなることを特徴とする請求項１に記載の有用情報を切り取り可能に印刷する袋体。
【請求項３】
前記印刷情報が、単一又は複数のものからなることを特徴とする請求項１又は２に記載の有用情報を切り取り可能に印刷する袋体。
【請求項４】
複数の前記印刷情報のサイズが一定又は相異することを特徴とする請求項３に記載の有用情報を切り取り可能に印刷する袋体。
【請求項５】
前記印刷情報が、名画のコピー，地図，交通案内，時刻表，カレンダであることを特徴とする請求項１に記載の有用情報を切り取り可能に印刷する袋体。
【請求項６】
前記印刷情報が、立体印刷からなることを特徴とする請求項５に記載の有用情報を切り取り可能に印刷する袋体。
【考案の詳細な説明】
【技術分野】
【０００１】
本考案は、書類等を収納するための袋体に係り、特に、袋体の表面及び／又は裏面の一部又は全部に利用者にとって有用な各種情報を切り取り可能に印刷してなる有用情報を切り取り可能に印刷する袋体に関する。
【背景技術】
【０００２】
袋体の内、封筒は各種の書類を収納して流通される。封筒としては各種サイズのものがあるが、通常は書類等を収納して配布するだけの機能しかなく、特に、裏面は全く白紙の状態にある。そのため、収納されている書類等を取り出した後は、空になった封筒は殆どものが廃棄され産業廃棄物となる。又は再利用が行われず、省資源の原則に反する。このため、従来においても封筒に他の機能を付加する公知技術があり、例えば、「特許文献１」，「特許文献２」，「特許文献３」，「特許文献４」等が挙げられる。
【特許文献１】実用新案登録第３０４０８１２号（図１）
【特許文献２】特開２０００−２０３１７９号（図３）
【特許文献３】実用新案登録第３０２４２５０号（図１）
【特許文献４】特開２０００−１０９０９３号（図１）
【考案の開示】
【考案が解決しようとする課題】
【０００３】
「特許文献１」の実用新案登録第３０４０８１２号の「メーラー封筒」は、表，裏に広告商品を切り取り可能に印刷したシートを折畳んで封筒形成にした所謂メーラー封筒に関するものであり、書類等の収納を目的とする袋体ではなく、かつ印刷情報も専ら商品の広告宣伝に関するものである。また、「特許文献２」の特開２０００−２０３１７９号の「封書」は、複重に折畳んでその表面にお客の送り先を記載した封書であり、折畳まれている内面に割引券，優待券，サービス券を切り取り可能に印刷したものからなるが、前記のように複重に折畳まれたものであり、書類等を収納して配布する機能を有するものではない。また、「特許文献３」の実用新案登録第３０２４２５０号の「封筒等の袋体」は、書類等の収納可能の袋体であり、その一部に切り取り可能に書面を印刷しているものであり、以後に説明する本考案に類似するものではあるが、印刷されている書面は受領書の如きもので書類等の受領の有無を確認する機能のみ有するものであり、利用者全体にとって有用の情報、特にサービス情報を提供するものではない。また、「特許文献４」の特開２０００−１０９０９３号の「ミシン目付き封筒」は封筒に貼付されている切手のまわりにミシン目をつけたもので、切手収集者にとってメリットを有するものであるが、多くの利用者にサービスを供給するものではない。
【０００４】
以上のように、公知技術としては、封筒の一部に切り取り可能な印刷情報を形成するものがあるが、本考案のように封筒としての本質的機能を有し、かつ多くの利用者にとって有用である各種のサービス情報を兼設した袋体は従来技術には存在していない。また、袋体を再利用して省資源化に貢献し得る機能を有するものは存在していない。
【０００５】
本考案は、以上の事情に鑑みて考案されたものであり、書類等を収納して配布し得る機能を有すると共に、利用者にとって有用な印刷情報を切り取り可能に印刷し、利用者にサービスを与えると共に、使用済の袋体を再利用し得るようにした有用情報を切り取り可能に印刷する袋体を提供することを目的とする。
【課題を解決するための手段】
【０００６】
本考案は、以上の目的を達成するために、請求項１の考案は、書類等を収納すべく表裏面を袋状に連結してなる袋体であって、該袋体は、前記表面及び／又は裏面に前記袋体の利用者に有用な文字及び／又は絵柄の情報が切り取り可能に印刷されることを特徴とする。
【０００７】
また、請求項２の考案は、前記印刷情報が、サービス券，クーポン券，割引き券，入場券，チケット，優待券，名刺，商品説明からなることを特徴とする。
【０００８】
また、請求項３の考案は、前記印刷情報が、単一又は複数のものからなることを特徴とする。
【０００９】
また、請求項４の考案は、複数の前記印刷情報のサイズが一定又は相異することを特徴とする。
【００１０】
また、請求項５の考案は、前記印刷情報が、名画のコピー，地図，交通案内，時刻表，カレンダであることを特徴とする。
【００１１】
また、請求項６の考案は、前記印刷情報が、立体印刷からなることを特徴とする。
【考案の効果】
【００１２】
本考案の請求項１の有用情報を切り取り可能に印刷する袋体によれば、袋体には書類等が収納されて流通される機能を有すると共に、利用者にとって有用な印刷情報が切り取り可能に印刷されている。このため、書類等を取り出した後に、その袋体を利用して多くのサービスを受けることができる。また、サービス提供者にとっても大きな宣伝機能を果たすことができる。
【００１３】
また、本考案の請求項２の有用情報を切り取り可能に印刷する袋体によれば、印刷情報の内容が具体的に明示され、日常生活において必要な多くのサービスを得ることができる。
【００１４】
また、本考案の請求項３の有用情報を切り取り可能に印刷する袋体によれば、印刷情報が複数のものにおいては同時に多くのサービスを得ることができる。
【００１５】
また、本考案の請求項４の有用情報を切り取り可能に印刷する袋体によれば、印刷情報のサイズが相異する場合もあり、サービス内容に対応した情報の印刷が可能になり、多くのサービス情報の提供ができる。
【００１６】
また、本考案の請求項５の有用情報を切り取り可能に印刷する袋体によれば、印刷情報として、日常生活において便利であり、かつ壁画としても利用できる情報を袋体に設けることにより、袋体全体を廃棄する必要がなく、再利用することができる。
【００１７】
また、本考案の請求項６の有用情報を切り取り可能に印刷する袋体によれば、壁画として再利用できる印刷情報を立体印刷したものにすることにより、より見易く、かつ美観を有する壁画等として利用でき、利用性の向上が図れる。
【考案を実施するための最良の形態】
【００１８】
以下、本考案の有用情報を切り取り可能に印刷する袋体の実施の形態を図面を参照して詳述する。図１は請求項１に対応した図面であり、図２は請求項２及び請求項３に対応したもの、図３は請求項４に対応したもの、図４は請求項５に対応したものであり、図５は請求項６に対応したものである。
【実施例１】
【００１９】
図１に示すように、袋体１は表面２と裏面３とを一体的に連結すると共に封止片４を形成するものからなる。この表面２及び裏面３間には書類５の収納される空間６が形成されている。本実施例では裏面３に複数の印刷情報が形成されている。この印刷情報の内７ａ，７ｂ，７ｅには文字情報８ａ，８ｂ，８ｅとサービスの内容、例えば、割引き率等を示すサービス情報９ａ，９ｂ，９ｅが印刷されている。一方、７ｃ，７ｄ，７ｆには絵柄１０ｃ，１０ｄ，１０ｆと割引き率等のサービスの内容を示すサービス情報１１ｃ，１１ｄ，１１ｆが印刷されている。なお、前記の各印刷情報はミシン目１２により囲まれ、切り取り可能となる。以上のように、この袋体１は、この空間６内に収納されている書類５を取り出した後、ミシン目１２を切断し、必要とする印刷情報７ａ等を取り出せばよい。なお、この印刷情報７ａ等を切り出した後の袋体１は、廃棄処理しなければならない。なお、この印刷情報７ａ等は、袋体１を利用者に配布することを業とする利用者と、サービス情報を袋体１に印刷することにより自分の店等の宣伝，広告ができる利用者との合意に基づき、形成されるものであり、その印刷情報の内容は多岐にわたり、その内容，形式，形態については全く自由である。以上により、袋体１は従来のように、書類５の取り出しの後に、すべて廃棄されるものではなく、利用され、かつ用済の時期まで大切に保管される。
【実施例２】
【００２０】
図２に示す袋体１ａはミシン目１２で区画された複数個（図示では８個）の印刷情報の一例を示すものである。例えば、Ａはサービス券、Ｂはクーポン券、Ｃは割引き券、Ｄは入場券、Ｅはチケット、Ｆは優待券、Ｇは名刺、Ｈは商品券等である。勿論、この内容は以上のものが限定するものではない。これ等の印刷情報の中で利用者が必要と思われるものをミシン目１２で切り取り、決められているサービスを受けることができる。勿論、この印刷情報を提供するのは１つの店に限る場合は少なく、複数の店からの提供が必要であるが、これ等の提供店は袋体１にその印刷情報を提供することにより袋体１を使用する利用者から喜ばれ、結果として大きな宣伝効果を得ることができる。
【実施例３】
【００２１】
図３の袋体１ｂは各種の印刷情報ａ，ｂ，ｃ，ｄ，ｅ，ｆを有するものであるが、これ等のサイズが異なる実施例を示すものである。印刷情報は単一のサイズでＯＫの場合もあるが、一般にはその内容によりサイズが異なる。これを無理に同じサイズにすることは有効なサービス情報を提供しにくい場合が多く、サイズを変えることによりその印刷情報のもつ効果を十分に発揮させることができる。
【実施例４】
【００２２】
実施例１乃至３は印刷情報としてサービス情報を有するものについて説明したが、この実施例は用済の袋体を廃棄処分しないで、利用するようにした実施例である。袋体は各種のサイズのものがあるが、かなりの面積を有するものもあり、その印刷内容によって壁画の１つに利用することができる。これにより袋体を再利用する事が可能になる。例えば、袋体１ｃに各種の各画のコピー１３を印刷することにより、簡便な壁画として利用できる。また、地図や交通案内、時刻表、カレンダを印刷することにより、効果的な再利用が可能になり、利用者に喜ばれるものとなる。
【実施例５】
【００２３】
図５は図４に示した各画のコピー１３等の印刷情報を立体印刷にした袋体１ｄを示すものである。各画のコピー１３等を立体印刷像１４にすることにより画像がもり上り美観の向上が図れると共に、より見易くなる効果を上げることができる。なお、この立体印刷は公示技術であり比較的簡便に行うことができる。
【産業上の利用の可能性】
【００２４】
本考案は書類等を収納する袋体の有効利用を主目的とするものであり、袋体としては封筒に限らずすべての収納用袋体に対して適用され、その利用範囲は極めて広い。特に、省資源化に貢献でき、環境保全にも貢献できるものである。
【図面の簡単な説明】
【００２５】
【図１】本考案の実施例の１つを示す模式的斜視図。
【図２】本考案の別の実施例を示す平面図。
【図３】本考案の更に別の実施例を示す平面図。
【図４】印刷情報としてサービス情報でなく観賞情報によって利用者にサービスを提供する実施例を示す模式的斜視図。
【図５】図４に示すものを立体印刷によって形成した実施例を説明するための模式的斜視図。
【符号の説明】
【００２６】
１      袋体
１ａ    袋体
１ｂ    袋体
１ｃ    袋体
１ｄ    袋体
２      表面
３      裏面
４      封止片
５      書類
６      空間
７ａ    印刷情報
７ｂ    印刷情報
７ｃ    印刷情報
７ｄ    印刷情報
７ｅ    印刷情報
７ｆ    印刷情報
８ａ    文字情報
８ｂ    文字情報
８ｅ    文字情報
９ａ    サービス情報
９ｂ    サービス情報
９ｅ    サービス情報
１０ｃ  絵柄
１０ｄ  絵柄
１０ｆ  絵柄
１１ｃ  サービス情報
１１ｄ  サービス情報
１１ｆ  サービス情報
１２    ミシン目
１３    各画のコピー等
１４    立体印刷像
【図１】
0003104507.tif 000003
【図２】
0003104507.tif 000004
【図３】
0003104507.tif 000005
【図４】
0003104507.tif 000006
【図５】
0003104507.tif 000007
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
書類等を収納するための袋体であって、該袋体は、その裏面に文字及び／又は絵柄からなる情報を印刷表示した情報表示券を切り取り可能に設けるものからなることを特徴とする有用情報を切り取り可能に印刷した袋体。
【請求項２】
前記情報表示券が、サービス券，クーポン券，割引き券，入場券，チケット，優待券，名刺，商品証明券からなることを特徴とする請求項１に記載の有用情報を切り取り可能に印刷した袋体。
【請求項３】
前記情報表示券が、単一又は複数のものからなることを特徴とする請求項１又は２に記載の有用情報を切り取り可能に印刷した袋体。
【請求項４】
複数の前記情報表示券のサイズが一定又は相異することを特徴とする請求項３に記載の有用情報を切り取り可能に印刷した袋体。
【請求項５】
前記情報表示券が、名画のコピー，地図，交通案内，時刻表，カレンダであることを特徴とする請求項１に記載の有用情報を切り取り可能に印刷した袋体。
【請求項６】
前記情報表示券が、立体印刷したものからなることを特徴とする請求項５に記載の有用情報を切り取り可能に印刷した袋体。
【手続補正２】
【補正対象書類名】明細書
【補正対象項目名】０００６
【補正方法】変更
【補正の内容】
【０００６】
本考案は、以上の目的を達成するために、請求項１の考案は、書類等を収納するための袋体であって、該袋体は、その裏面に文字及び／又は絵柄からなる情報を印刷表示した情報表示券を切り取り可能に設けるものからなることを特徴とする。
【手続補正３】
【補正対象書類名】明細書
【補正対象項目名】０００７
【補正方法】変更
【補正の内容】
【０００７】
また、請求項２の考案は、前記情報表示券が、サービス券，クーポン券，割引き券，入場券，チケット，優待券，名刺，商品証明券からなることを特徴とする。
【手続補正４】
【補正対象書類名】明細書
【補正対象項目名】０００８
【補正方法】変更
【補正の内容】
【０００８】
また、請求項３の考案は、前記情報表示券が、単一又は複数のものからなることを特徴とする。
【手続補正５】
【補正対象書類名】明細書
【補正対象項目名】０００９
【補正方法】変更
【補正の内容】
【０００９】
また、請求項４の考案は、複数の情報表示券のサイズが一定又は相異することを特徴とする。
【手続補正６】
【補正対象書類名】明細書
【補正対象項目名】００１０
【補正方法】変更
【補正の内容】
【００１０】
また、請求項５の考案は、前記情報表示券が、名画のコピー，地図，交通案内，時刻表，カレンダであることを特徴とする。
【手続補正７】
【補正対象書類名】明細書
【補正対象項目名】００１１
【補正方法】変更
【補正の内容】
【００１１】
また、請求項６の考案は、前記情報表示券が、立体印刷したものからなることを特徴とする。
【手続補正８】
【補正対象書類名】明細書
【補正対象項目名】００１２
【補正方法】変更
【補正の内容】
【００１２】
本考案の請求項１の有用情報を切り取り可能に印刷した袋体によれば、袋体には書類等が収納されて流通される機能を有すると共に、利用者にとって有用な情報表示券（以下、印刷情報と仮称する）が切り取り可能に印刷されている。このため、書類等を取り出した後に、その袋体を利用して多くのサービスを受けることができる。また、サービス提供者にとっても大きな宣伝機能を果たすことができる。